(57)【要約】【課題】燃料のセタン価を適切に検出することを可能とする。【解決手段】セタン価検出装置（２０等）は、燃料を貯留する貯留手段（３４）を有する内燃機関（１）と、気筒内へ燃料を噴射する噴射手段（３０）と、気筒内の圧力変化に基づいて、噴射された燃料の着火時期を測定する測定手段（４０）と、測定された着火時期とセタン価との相関関係に基づいて、噴射された燃料のセタン価の検出処理を実行する検出手段（２０）と、貯留手段に燃料が供給される供給度合いに基づいて、検出処理の開始時期、終了時期、又は実行頻度を変化させて、検出処理を実行するように検出手段を制御する制御手段（２０）と、を備える。【選択図】図１
2008286094.tif 000002
【特許請求の範囲】
【請求項１】
燃料を貯留する貯留手段を有する内燃機関と、
前記内燃機関の気筒内へ燃料を噴射する噴射手段と、
前記気筒内の圧力変化に基づいて、前記噴射された燃料の着火時期を測定する測定手段と、
前記測定された着火時期とセタン価との相関関係に基づいて、前記噴射された燃料のセタン価の検出処理を実行する検出手段と、
前記貯留手段に前記燃料が供給される供給度合いに基づいて、前記検出処理の開始時期又は終了時期に加えて又は代えて前記検出処理の実行頻度を変化させて、前記検出処理を実行するように前記検出手段を制御する制御手段と、
を備えることを特徴とするセタン価検出装置。
【請求項２】
前記制御手段は、（i）前記供給度合いが相対的に高い場合、前記検出処理を開始させることに加えて又は代えて前記検出処理の実行頻度を多い側に変化させつつ、前記検出処理を実行するように前記検出手段を制御し、（ii）前記供給度合いが相対的に低い場合、前記検出処理を終了させることに加えて又は代えて前記検出処理の実行頻度を少ない側に変化させつつ、前記検出処理を実行するように前記検出手段を制御することを特徴とする請求項１に記載のセタン価検出装置。
【請求項３】
前記貯留された燃料の貯留量が増加する方向を基準にして、前記貯留量を示す指標を検知する第１検知手段と、
前記検知された指標の上昇量が、所定閾値より大きい場合、前記供給度合いが相対的に高いと判定し、前記検知された指標の上昇量が、前記所定閾値より小さい場合、前記供給度合いが相対的に低いと判定する第１判定手段と、を更に備えることを特徴とする請求項１又は２に記載のセタン価検出装置。
【請求項４】
前記燃料を供給するための前記貯留手段の蓋が開閉されたか否かを検知する第２検知手段と、
前記蓋が開閉されたと検知された場合、前記供給度合いが相対的に高いと判定し、前記蓋が開閉されたと検知されない場合、前記供給度合いが相対的に低いと判定する第２判定手段と、を更に備えることを特徴とする請求項１から３のうちいずれか一項に記載のセタン価検出装置。
【請求項５】
前記貯留された燃料の温度を検知する第３検知手段と、
前記検知された燃料の温度の低下量が、所定閾値より大きい場合、前記供給度合いが相対的に高いと判定し、前記検知された燃料の温度の低下量が、前記所定閾値より小さい場合、前記供給度合いが相対的に低いと判定する第３判定手段と、を更に備えることを特徴とする請求項１から４のうちいずれか一項に記載のセタン価検出装置。
【請求項６】
前記内燃機関を有する車両と、
前記車両の電気系の起動を検知する第４検知手段と、
前記電気系の起動が検知された場合、前記供給度合いが相対的に高いと判定し、前記電気系の起動が検知されない場合、前記供給度合いが相対的に低いと判定する第４判定手段と、を更に備えることを特徴とする請求項１から５のうちいずれか一項に記載のセタン価検出装置。
【請求項７】
前記内燃機関を有する車両と、
前記車両が停止している停止時間を算出する第１算出手段と、
前記算出された停止時間が、所定閾値より大きい場合、前記供給度合いが相対的に高いと判定し、前記算出された停止時間が、前記所定閾値より小さい場合、前記供給度合いが相対的に低いと判定する第５判定手段と、を更に備えることを特徴とする請求項１から６のうちいずれか一項に記載のセタン価検出装置。
【請求項８】
燃料を貯留する貯留手段を有する内燃機関と、
前記内燃機関の気筒内へ燃料を噴射する噴射手段と、
前記気筒内の圧力変化に基づいて、前記気筒内における着火時期を測定する測定手段と、
前記測定された着火時期とセタン価との相関関係に基づいて、前記噴射された燃料のセタン価の検出処理を実行する検出手段と、
前記検出されたセタン価における、時間経過に伴う変化に基づいて、前記検出処理の開始時期又は終了時期に加えて又は代えて前記検出処理の実行頻度を変化させて、前記検出処理を実行するように前記検出手段を制御する制御手段と、
を備えることを特徴とするセタン価検出装置。
【請求項９】
時間軸上の第１時点に検出された第１セタン価と、前記時間軸上の第２時点に検出された第２セタン価との差を算出する第２算出手段と、
前記算出された差が、所定閾値より大きい場合、前記供給度合いが相対的に高いと判定し、前記算出された差が、所定閾値より小さい場合、前記供給度合いが相対的に低いと判定する第６判定手段と、を更に備えることを特徴とする請求項８に記載のセタン価検出装置。
【発明の詳細な説明】
【技術分野】
【０００１】
本発明は、例えばディーゼルエンジン等の内燃機関において燃料のセタン価を検出するセタン価検出装置の技術分野に関する。
【背景技術】
【０００２】
この種の装置に係るセタン価の検出する方法として、特許文献１等では、燃料の着火時期を利用したものが提案されている。詳細には、特許文献１等では、内燃機関がフューエルカット状態にあるときに所定量の燃料を噴射し着火時期を測定する際の、例えばエンジン回転数などの内燃機関の運転状態の範囲を規定する。そして、この規定された範囲の運転状態で測定された着火時期によって、セタン価を検出する手法について提案されている。
【０００３】
【特許文献１】特開２００５−３４４５５７号公報
【特許文献２】特開２００４−２３９２２９号公報
【特許文献３】特開２００６−２２６１８８号公報
【特許文献４】特開２００６−１６９９４号公報
【特許文献５】特開２００２−２０１９９７号公報
【特許文献６】特開２００６−１８８９９２号公報
【発明の開示】
【発明が解決しようとする課題】
【０００４】
しかしながら、前述した特許文献１等で提案されている手法では、規定された範囲の運転状態において、内燃機関の出力に直接的に寄与しないセタン価の検出専用の燃料を必要以上に噴射してしまう可能性があるという技術的な問題点が生じる。よって、内燃機関の燃費を低下させてしまったり、内燃機関で発生するトルクや回転数の出力状態が不安定となり、ドライバビリティが低下してしまったり、内燃機関の排気エミッションが悪化してしまったりするという技術的な問題点が生じてしまう。
【０００５】
そこで本発明は、例えば上記の問題点に鑑みなされたものであり、燃料のセタン価を適切に検出することが可能なセタン価検出装置を提供することを課題とする。
【課題を解決するための手段】
【０００６】
上記課題を解決するために、本発明に係るセタン価検出装置は、燃料を貯留する貯留手段を有する内燃機関と、前記内燃機関の気筒内へ燃料を噴射する噴射手段と、前記気筒内の圧力変化に基づいて、前記噴射された燃料の着火時期を測定する測定手段と、前記測定された着火時期とセタン価との相関関係に基づいて、前記噴射された燃料のセタン価の検出処理を実行する検出手段と、前記貯留手段に前記燃料が供給される供給度合いに基づいて、前記検出処理の開始時期又は終了時期に加えて又は代えて前記検出処理の実行頻度を変化させて、前記検出処理を実行するように前記検出手段を制御する制御手段と、を備える。
【０００７】
本発明における「内燃機関」とは、例えば複数の気筒を有し、当該各々の燃焼室において、例えば軽油等の、少なくともセタン価が規定され得る各種燃料を含む混合気が燃焼した際に発生する爆発力を、例えばピストン、コネクティングロッド及びクランク軸等を適宜介して動力として取り出すことが可能に構成された機関を包括する概念であり、例えば２サイクル或いは４サイクル型のディーゼルエンジン等を指す。本発明に係る内燃機関には、このような燃料を貯留する、例えば燃料タンク等の貯留手段が備わる。
【０００８】
また、本発明に係る内燃機関を搭載する本発明に係る車両では、例えば減速走行中などの燃料の噴射が停止された運転状態において、内燃機関の気筒内で測定された着火時期とセタン価との相関関係に基づいて、噴射された燃料の燃料性状であるセタン価を検出する検出処理が実行される。詳細には、噴射手段によって、セタン価の検出用の燃料が噴射される。具体的には、通常の運転状態から、例えばアクセル開度が低下した所定のフューエルカットの状態において、通常の噴射量と比較して微小な量であるセタン価を推定するための燃料が所定のタイミングにおいて噴射されてよい。ここに、「運転状態」とは、内燃機関の駆動状態や走行状態を包括する概念である。この運転状態の具体例としては、例えば内燃機関の回転数、内燃機関の温度（例えばエンジン水温）、気筒内の圧力（過給圧）、燃料の温度、燃料を噴射する際の噴射圧力、空燃比（や酸素の量）等を挙げることができる。特に、気筒内の圧力や、内燃機関の温度や、空燃比（や酸素の量）は、燃料の着火時期に与える影響が大きいので運転状態に含めることが好ましい。また、「所定のフューエルカットの状態」とは、車両が走行状態にあって、且つ内燃機関における動力の発生に供すべき燃料の噴射が停止された状態を包括する概念であり、典型的な一例としては車両が減速期間にある状態を指す。従って、気筒内の圧力の変化を通常運転と比較して小さなレベルの変化にさせることができると共に、例えば内燃機関の温度を示すエンジン水温等の運転状態の変化を通常運転と比較して小さなレベルの変化にさせることができる。
【０００９】
このようなフューエルカット状態においてなされるセタン価の検出処理とは、予め実験的に、経験的に、理論的に又はシミュレーション等に基づいて、少なくとも実践上不具合が生じない程度の精度でセタン価を推定し得るものとして定められてなるプロセス、アルゴリズム又は演算式等に従った、物理的、機械的、電気的若しくは化学的な制御又は論理演算若しくは数値演算を包括する概念であって、特にセタン価の推定に供し得る燃料の噴射、好適には微小量の燃料噴射を伴う処理を包括する概念である。例えば、好適な一形態として、セタン価の検出処理は、フューエルカット状態における微小量の燃料噴射、及び機関回転数の変動又は燃焼圧の変動等に基づいた、当該噴射された燃料においてセタン価の差が顕著に現れ得る着火遅れ期間の測定等の各種プロセスを含むセタン価の検出処理を実行し、例えばこの着火遅れ期間や着火時期に基づいてセタン価を検出する。
【００１０】
従って、セタン価の検出処理とは、例えば燃料噴射装置、着火遅れや着火時期の測定に供し得る燃焼圧センサ、機関回転数の特定に供し得る機関回転数センサ又はクランクポジションセンサ、及びそれらを然るべきアルゴリズムや動作プロセスに従って物理的に、機械的に又は電気的に制御可能なＥＣＵ（Electronic Control Unit：電子制御ユニット）の各種処理ユニット、各種コントローラ或いはマイコン装置等各種コンピュータシステム等を適宜に含み得るシステム全体として規定されてもよいし、セタン価の推定に特化して設けられる訳ではないこれら噴射装置等既存のユニットを然るべき制御プログラムに従って電気的に制御するＥＣＵや各種コントローラのみとして規定されてもよい。
【００１１】
一般的に、例えばディーゼル車等の車両に供給される、例えば軽油等の燃料は、燃料タンク等の貯留手段に貯留され、貯留された燃料の残量が少なくなる場合、ドライバによって新しい燃料が供給され補充される。この新しい燃料の供給の際に、貯留手段に貯留された燃料のセタン価は変化する。
【００１２】
特に、本発明によれば、このセタン価を検出する必要性に着目して、制御手段の制御下で、貯留手段に燃料が供給される供給度合いに基づいて、検出手段によって、セタン価を検出する検出処理における開始時期又は終了時期に加えて又は代えて実行頻度が変化されつつ、検出処理が実行される。ここに、本発明に係る「燃料が供給される供給度合い」に係る判定は、少なくとも燃料が供給されたか否かの二値的な状態を判定してよいし、或いは、例えば、所定量の燃料が供給されたかといった、燃料が供給される程度や度合いを判定してよい。また、本発明に係る「実行頻度」とは、例えば、実行回数、実行時期及び実行期間等といった定量的な頻度、並びに、一の期間について他の期間よりも多く実行する等、定性的な頻度を意味してよい。具体的には、燃料が供給される供給度合いが相対的に高いことが判定され、燃料のセタン価が変化したことが推測され、セタン価を高精度に検出する必要性の度合いが相対的に高いレベルの場合、セタン価の検出処理の開始時期又は終了時期を変化させて、セタン価の検出処理の実行頻度を相対的に多頻度にさせてよい。他方、燃料が供給される供給度合いが相対的に低いことが判定され、燃料のセタン価は変化しないことが推測され、セタン価を高精度に検出する必要性の度合いが相対的に低いレベルの場合、或いは、セタン価の検出自体の必要性の度合いが相対的に低いレベルの場合、セタン価の検出処理の開始時期又は終了時期を変化させて、セタン価の検出処理の実行頻度を相対的に少頻度にさせてよい。
【００１３】
この結果、内燃機関の出力に直接的に寄与しないセタン価の検出専用の燃料を必要以上に無駄に噴射することを効果的且つ効率的に抑制し、内燃機関の燃費を効果的に向上させることが可能である。加えて、セタン価の検出専用の燃料を必要以上に無駄に噴射することを効果的且つ効率的に抑制することで、内燃機関で発生するトルクや回転数の出力状態を安定化させ、ドライバビリティを効果的に向上させることが可能である。本発明に係る「ドライバビリティ」とは、ドライバの運転操作に対して、適切且つ迅速に対応してトルクを出力可能な理想的な内燃機関、若しくは、内燃機関のアイドル運転状態において、適切なトルクを出力可能な理想的な内燃機関を意味する。更に、加えて、セタン価の検出専用の燃料を必要以上に無駄に噴射することを効果的且つ効率的に抑制することで、内燃機関の排気エミッションの悪化、即ち、有害ガスの排気を効果的に抑制することが可能である。
【００１４】
以上の結果、燃料の供給度合いに基づいて、セタン価の検出処理の実行頻度が変化されることで、例えば、燃料の噴射量の精度、空燃比の検出精度或いは燃料消費量等に影響される内燃機関の動力性能、経済性能、車両のドライバビリティ及び環境性能等を含む車両の実践的且つ総合的な性能を適切に安定化させることができる。
【００１５】
本発明に係るセタン価検出装置の一の態様では、前記制御手段は、（i）前記供給度合いが相対的に高い場合、前記検出処理を開始させることに加えて又は代えて前記検出処理の実行頻度を多い側に変化させつつ、前記検出処理を実行するように前記検出手段を制御し、（ii）前記供給度合いが相対的に低い場合、前記検出処理を終了させることに加えて又は代えて前記検出処理の実行頻度を少ない側に変化させつつ、前記検出処理を実行するように前記検出手段を制御する。
【００１６】
この態様によれば、燃料の供給度合いの高低に適切に対応して、セタン価の検出処理の実行頻度が変化されることで、例えば、空燃比の検出精度等に影響される内燃機関の動力性能、経済性能、車両のドライバビリティ及び環境性能等を含む車両の実践的且つ総合的な性能を適切に安定化させることができる。
【００１７】
本発明に係るセタン価検出装置の他の態様では、前記貯留された燃料の貯留量が増加する方向を基準にして、前記貯留量を示す指標を検知する第１検知手段と、前記検知された指標の上昇量が、所定閾値より大きい場合、前記供給度合いが相対的に高いと判定し、前記検知された指標の上昇量が、前記所定閾値より小さい場合、前記供給度合いが相対的に低いと判定する第１判定手段と、を更に備える。
【００１８】
この態様によれば、燃料の貯留量を示す指標の上昇量と、所定閾値との比較に基づいて、供給度合いを高精度に判定することが可能である。ここに、本発明に係る、指標の上昇量に対応される所定閾値とは、実際に貯留された燃料における、供給度合いが相対的に高い状態と等価とみなしうる所望の増加量によって一義的に規定される、燃料の貯留量を示す指標の上昇量を意味する。この所定閾値は、理論的、実験的、経験的、又はシミュレーション等の各種の手法を用いて、実際に貯留された燃料における所望の増加量によって一義的に規定されるように、個別具体的に規定されてよい。
【００１９】
本発明に係るセタン価検出装置の他の態様では、前記燃料を供給するための前記貯留手段の蓋が開閉されたか否かを検知する第２検知手段と、前記蓋が開閉されたと検知された場合、前記供給度合いが相対的に高いと判定し、前記蓋が開閉されたと検知されない場合、前記供給度合いが相対的に低いと判定する第２判定手段と、を更に備える。
【００２０】
この態様によれば、蓋が開閉されたか否かに基づいて、供給度合いを高精度に判定することが可能である。
【００２１】
本発明に係るセタン価検出装置の他の態様では、前記貯留された燃料の温度を検知する第３検知手段と、前記検知された燃料の温度の低下量が、所定閾値より大きい場合、前記供給度合いが相対的に高いと判定し、前記検知された燃料の温度の低下量が、前記所定閾値より小さい場合、前記供給度合いが相対的に低いと判定する第３判定手段と、を更に備える。
【００２２】
この態様によれば、燃料の温度の低下量と、所定閾値との比較に基づいて、供給度合いを高精度に判定することが可能である。ここに、本発明に係る、燃料の温度の低下量に対応される所定閾値とは、実際に貯留された燃料の温度における、供給度合いが相対的に高い状態と等価とみなしうる所望の温度の低下量を意味する。この所定閾値は、理論的、実験的、経験的、又はシミュレーション等によって、実際に貯留された燃料の温度における、所望となる温度の低下量に一義的に等価になるように、個別具体的に規定してよい。
【００２３】
本発明に係るセタン価検出装置の他の態様では、前記内燃機関を有する車両と、前記車両の電気系の起動を検知する第４検知手段と、前記電気系の起動が検知された場合、前記供給度合いが相対的に高いと判定し、前記電気系の起動が検知されない場合、前記供給度合いが相対的に低いと判定する第４判定手段と、を更に備える。
【００２４】
この態様によれば、車両の電気系の起動が検知されたか否かにによって、供給度合いを高精度に判定することが可能である。
【００２５】
本発明に係るセタン価検出装置の他の態様では、前記内燃機関を有する車両と、前記車両が停止している停止時間を算出する第１算出手段と、前記算出された停止時間が、所定閾値より大きい場合、前記供給度合いが相対的に高いと判定し、前記算出された停止時間が、前記所定閾値より小さい場合、前記供給度合いが相対的に低いと判定する第５判定手段と、を更に備える。
【００２６】
この態様によれば、車両が停止している停止時間と、所定閾値との比較に基づいて、供給度合いを高精度に判定することが可能である。ここに、本発明に係る、車両が停止している停止時間に対応される所定閾値とは、車両を運転するドライバーの人的特性である、車両の停止時間と燃料の供給を行う事実の発生率との相関関係に基づいて一義的に規定可能な車両の停止時間を意味する。この所定閾値は、理論的、実験的、経験的、又はシミュレーション等の各種の手法を用いて、車両を運転するドライバーの人的特性である、車両の停止時間と燃料の供給を行う事実の発生率との相関関係によって一義的に規定されるように、個別具体的に規定してよい。
【００２７】
上記課題を解決するために、本発明に係る他のセタン価検出装置は、燃料を貯留する貯留手段を有する内燃機関と、前記内燃機関の気筒内へ燃料を噴射する噴射手段と、前記気筒内の圧力変化に基づいて、前記気筒内における着火時期を測定する測定手段と、前記測定された着火時期とセタン価との相関関係に基づいて、前記噴射された燃料のセタン価の検出処理を実行する検出手段と、前記検出されたセタン価における、時間経過に伴う変化に基づいて、前記検出処理の開始時期又は終了時期に加えて又は代えて前記検出処理の実行頻度を変化させて、前記検出処理を実行するように前記検出手段を制御する制御手段と、を備える。
【００２８】
本発明に係る他のセタン価検出装置における、セタン価の「時間経過に伴う変化」とは、例えば数秒や、数分や、数時間や、数日等の所定の時間間隔で検出された２つのセタン価の値を比較した際の変化又は変化量を意味してよい。或いは、例えば数回や数十回等の所定の検出回数に相当する間隔で検出された２つのセタン価の値を比較した際の変化又は変化量を意味してよい。具体的には、検出されたセタン価における、時間経過に伴う変化又は変化量は、車両が走行することなく燃料が放置された時間、又は燃料の外界環境の温度の変化に影響して、燃料が酸化したり変質したり一部の成分が蒸発したりするなどの化学的な変化に対応して発生する。
【００２９】
以上の結果、検出されたセタン価の時間経過に伴う変化に基づいて、セタン価の検出処理の実行頻度が変化されることで、例えば、燃料の噴射量の精度、空燃比の検出精度或いは燃料消費量等に影響される内燃機関の動力性能、経済性能、車両のドライバビリティ及び環境性能等を含む車両の実践的且つ総合的な性能を適切に安定化させることができる。
【００３０】
本発明に係る他のセタン価検出装置の一態様では、時間軸上の第１時点に検出された第１セタン価と、前記時間軸上の第２時点に検出された第２セタン価との差を算出する第２算出手段と、前記算出された差が、所定閾値より大きい場合、前記供給度合いが相対的に高いと判定し、前記算出された差が、所定閾値より小さい場合、前記供給度合いが相対的に低いと判定する第６判定手段と、を更に備える。
【００３１】
この態様によれば、第１時点に検出された第１セタン価と、第２時点に検出された第２セタン価との差が所定閾値より大きい場合、時間経過に伴うセタン価の変化量が大きく、現在、燃料タンクに貯留されている燃料の実際のセタン価（又は真のセタン価）を迅速に検出する必要性が顕著に高いので、セタン価の検出を実行する頻度を相対的に多くし、実際のセタン価を迅速に検出することができる。この結果、燃料のセタン価の変化をより迅速に検知して、例えば空燃比等の運転状態に加えて燃料の着火時期を定量的及び定性的に制御し、燃料の噴射量を的確に制御し、内燃機関が発生するトルクや回転数をより的確且つ迅速に制御することが可能である。
【発明を実施するための最良の形態】
【００３２】
以下、図面を参照して本発明の好適な実施形態について説明する。
【００３３】
（１）車両の基本構成  
先ず、図１を参照して、本実施形態に係る内燃機関の排気浄化装置を搭載した車両の基本構成について説明する。ここに、図１は、本実施形態に係る内燃機関の排気浄化装置を搭載した車両の基本構成を図式的に示した模式図である。尚、本実施形態に係る内燃機関の排気浄化装置を搭載した車両は、＃１気筒「１ａ」から＃４気筒までの四つの気筒が一列に並べられた、いわゆる直列四気筒のレシプロ式内燃機関（所謂、「ディーゼルエンジン」：以下、適宜、「エンジン１」と称す）に適用した一形態を示している。エンジン１は例えば自動車の走行用駆動源として使用され、エンジン１で発生した駆動力が、図示しない、クラッチや変速機やディフェレンシャルギヤやドライブシャフトを介して車輪に伝達される。
【００３４】
図１に示されるように、エンジン１は、電子スロットル弁２、ＡＦＭ（Air Flow Meter）２ａ、シリンダ＃１から＃４、吸気通路３、排気通路４、吸気濾過用のエアフィルタ５、ターボ過給機６、コンプレッサ６ａ、タービン６ｂ、吸気量調節用の絞り弁７、吸気系の過給圧を測定する過給圧センサ７ａ、ＤＰＮＲ（Diesel Particulate-NOx active Reduction system）触媒８、排気浄化ユニット９、燃料添加弁１０、ＥＧＲ通路１１、ＥＧＲ触媒１２、ＥＧＲクーラ１３、ＥＧＲ弁１４、排気絞り弁１５、マフラー１６、ＥＣＵ２０、イグニションスイッチ２１、インジェクタ３０、コモンレール３１、燃料ポンプ３２、内燃機関の回転数を測定するためのクランク角センサ３３、燃料タンク３４、蓋３５、蓋センサー３６、燃料タンクのメーター３７、燃料温度計３８、及び、圧力センサー４０を備えて構成されている。尚、ＥＣＵ２０によって、本発明に係る「制御手段」、「検出手段」、「第１判定手段」、「第２判定手段」、「第３判定手段」、「第４判定手段」、「第５判定手段」、「第６判定手段」、「第１算出手段」「第２算出手段」の一具体例が構成されている。特に、ＥＣＵ２０に有される記憶部では、検出されたセタン価等の各種の入力されるデータを格納可能であると共に、ＥＣＵ２０が検出手段、判定手段、又は算出手段として機能する際に使用する、所定のプログラムや所定のマップが格納されている。
【００３５】
また、シリンダ内の圧力を測定する圧力センサー４０によって、本発明に係る「測定手段」の一具体例が構成されている。また、燃料タンク３４によって、本発明に係る「貯留手段」の一具体例が構成されている。また、燃料タンクの蓋３５によって、本発明に係る「蓋」の一具体例が構成されている。また、燃料タンクのメーター３７によって、本発明に係る「第１検知手段」の一具体例が構成されている。また、蓋３５の開閉を検知する蓋センサー３６によって、本発明に係る「第２検知手段」の一具体例が構成されている。また、燃料タンク内の燃料の温度を測定する燃料温度計３８によって、本発明に係る「第３検知手段」の一具体例が構成されている。また、ＥＣＵ２０を含む車両の電気系を起動させるイグニションスイッチ２１によって、本発明に係る「第４検知手段」の一具体例が構成されている。
【００３６】
図１に示されるように、エンジン１は、車両に走行用動力源として搭載されるもので、エンジン１の還流系、所謂、ＥＧＲ（Exhaust Gas Recirculation）系は、そのシリンダ＃１から＃４には、吸気通路３及び排気通路４が接続され、吸気通路３には吸気濾過用のエアフィルタ５、ターボ過給機６のコンプレッサ６ａ、吸気量を調節するための絞り弁７が、排気通路４にはターボチャージャ６のタービン６ｂがそれぞれ設けられている。排気通路４のタービン６ｂよりも下流側には排気浄化手段としての吸蔵還元型ＮＯｘ触媒の一例であるＤＰＮＲ触媒８を含んだ排気浄化ユニット９と、そのＤＰＮＲ触媒８の上流に還元剤としての燃料を添加する燃料添加手段としての燃料添加弁１０とが設けられている。排気通路４と吸気通路３とはＥＧＲ通路１１で接続され、ＥＧＲ通路１１には、還流ガスの流れる方向を基準として、上流側から下流側へ向かって、ＥＧＲ触媒１２、ＥＧＲクーラ１３、及びＥＧＲ弁１４が設けられている。
【００３７】
ターボ過給機６は、それぞれ可変ノズル６ｎを備えた可変ノズル式ターボ過給機であり、それぞれに設けられた可変ノズル６ｎの開度を変更することによってタービン６ｂの入口部分の流路断面積を変更することができる。
【００３８】
また、エンジン１の吸気系は、図示しない外気を取り込むためのエアダクトから、ＡＦＭ（Air Flow Meter）２ａ、電子スロットル弁２、吸気通路３へ流れ、更に吸気ポートを経由して、シリンダ＃１から＃４内の燃焼室へ吸気されるように構成されている。吸気ポートには、吸気ポートを開閉する吸気弁が設けられている。他方、エンジン１の排気系は、排気ガスが、気筒＃１から＃４内の燃焼室から排気ポート、図示しない排気通路４、ＤＰＮＲ触媒８、及びマフラー１６を経由して、大気中へ排出されるように構成されている。
【００３９】
燃料添加弁１０は、ＤＰＮＲ８の上流に燃料を添加してＤＰＮＲ８に吸収されたＮＯｘの放出やＤＰＮＲ８のＳ再生のために必要な還元雰囲気を生成するために設けられている。燃料添加弁１０の燃料添加動作はエンジンコントロールユニット（ＥＣＵ）２０にて制御される。ＥＣＵ２０はシリンダ＃１から＃４に燃料を噴射するためのインジェクタ３０、燃料ポンプ３２からインジェクタ３０へ供給される燃料圧力を蓄えるコモンレール３１の圧力調整弁といった各種の装置を操作してエジン１の運転状態を制御する周知のコンピュータユニットである。ＥＣＵ２０はエンジン１に吸入される空気とインジェクタ３０から添加される燃料との質量比として与えられる空燃比が理論空燃比よりもリーン側に制御されるようにインジェクタ３０の燃料噴射動作を制御する。
【００４０】
ＤＰＮＲ触媒８は、排気空燃比が理論空燃比よりもリーンの時は窒素酸化物（ＮＯｘ）を吸蔵し、排気空燃比が理論空燃比又は理論空燃比よりもリッチのときは吸蔵していたＮＯｘを放出して窒素（Ｎ２）に還元する性質を有している。ＤＰＮＲ触媒８に吸蔵可能なＮＯｘ量には上限があるため、吸蔵されているＮＯｘ量がこの上限に達しないように触媒１４からＮＯｘを放出させてＮ２に還元させるＮＯｘ還元を所定の間隔で行い、ＤＰＮＲ触媒８の排気浄化性能を高い状態に維持する。また、ＤＰＮＲ触媒８は、排気中に含まれる硫黄酸化物（ＳＯｘ）により被毒される。そのため、ＤＰＮＲ触媒８をＮＯｘ触媒から硫黄（Ｓ）が放出される温度域に昇温させるとともに排気空燃比を理論空燃比又は理論空燃比よりもリッチにして硫黄被毒を回復させてＤＰＮＲ触媒８の機能を再生させるＳ再生を所定の間隔で行う。以降、ＮＯｘ還元及びＳ再生をまとめて機能再生処理と呼ぶこともある。これら機能再生処理は、燃料添加弁１０からＤＰＮＲ触媒８の上流の排気通路４内に燃料を添加して行う。
【００４１】
尚、本発明において吸蔵還元型ＮＯｘ触媒は、ＮＯｘを触媒にて保持できるものであればよく、吸収又は吸着いずれの態様でＮＯｘが保持されるかは吸蔵の用語によって制限されない。また、ＳＯｘの被毒についてもその態様を問わないものである。更に、ＮＯｘやＳＯｘの放出についてもその態様を問わない。
【００４２】
各種のアクチュエータの動作は、エンジンコントロールユニット（ＥＣＵ）２０によって制御される。ＥＣＵ２０は、マイクロプロセッサ及びその動作に必要なＲＡＭ、ＲＯＭ等の周辺機器を含んだコンピュータとして構成され、各種センサから入力される信号に基づいて可変ノズル６ｎなどの各種の装置を操作してエンジン１の運転状態を制御する周知のコンピュータユニットである。ＥＣＵ２０には例えばエンジン１のクランク軸の角度に対応した信号を出力するクランク角センサ３３、排気浄化ユニット９を通過した排気の温度に対応した信号を出力する排気温センサ、ＡＦＭ２ａ、及び圧力センサー４０などが接続され、ＥＣＵ２０はこれらの出力信号を参照してエンジン１の運転状態を制御する。また、ＥＣＵ２０は、図２及び図６に示したルーチンを実行することにより本発明の制御手段として機能する。尚、これらのルーチンの詳細は後述する。ＥＣＵ２０による制御対象はその他にも種々存在するが、ここでは図示を省略する。
【００４３】
（２）セタン価の検出頻度の制御処理  
次に、図２から図４を参照して、本実施形態に係る、セタン価の検出頻度の制御処理について説明する。ここに、図２は、本実施形態に係る、セタン価の検出頻度の制御処理の流れを示したフローチャートである。尚、このセタン価の検出頻度の制御処理は、ＥＣＵ２０によって、例えば、数十ミリ秒、又は数ミリ秒等の所定の周期で繰り返し実行される。図３は、本実施形態に係る、燃料の供給が有ると推定される場合に対応される各種のパラメータの状態と、燃料の供給が無いと推定される場合に対応される各種のパラメータの状態とを示した表である。図４は、本実施形態に係る、セタン価の検出の実行頻度と、セタン価を検出する時間間隔（所謂、検出インターバル）との相関関係を示すグラフである。図５は、本実施形態に係る、セタン価と着火時期との相関関係を示すグラフである。
【００４４】
図２に示されるように、先ず、ＥＣＵ２０の制御下で、燃料の供給（又は補充）が行なわれたか否か、言い換えると、燃料の供給の有無が判定される（ステップＳ１０１）。ここで、燃料の供給が行なわれたと判定される場合（ステップＳ１０１：Ｙｅｓ）、フラグ変数Ｆに「Ｏｎ」が入力される（ステップＳ１０２）。
【００４５】
具体的には、図３の表に示されるように、例えば燃料メータのセンターゲージ等の、燃料タンクに貯留された燃料の貯留量を示す指標の上昇量が、所定閾値より大きい場合（又は所定閾値と等しい場合）、燃料の供給が行われたと判定してよい。ここに、本実施形態に係る、指標の上昇量に対応される所定閾値とは、実際に貯留された燃料における、燃料の供給が行われた状態と等価とみなしうる所望の増加量によって一義的に規定される、燃料の貯留量を示す指標の上昇量を意味する。この所定閾値は、理論的、実験的、経験的、又はシミュレーション等の各種の手法を用いて、実際に貯留された燃料における所望の増加量によって一義的に規定されるように、個別具体的に規定されてよい。言い換えると、燃料の貯留量を示す指標の上昇量が、所定閾値より大きい場合、燃料の貯留量は十分に増加していると判定できるので、燃料の供給が行われたと判定することが可能である。他方、燃料タンクに貯留された燃料の貯留量を示す指標の上昇量が、所定閾値より小さい場合、燃料の貯留量を示す指標の上昇は、例えば車両の走行状態等の他の原因に起因すると判定して、燃料の供給が行われたと判定しなくてよい。
【００４６】
より具体的には、燃料の貯留量の増加量を示すセンターゲージは、車両が加速している走行状態や、カーブした道路を走行する走行状態において、貯留手段に貯留された燃料の流体としての物理的な挙動の変化に相対的に大きく影響される。一方で、燃料の貯留量の増加量を示すセンターゲージは、外界温度の変化に対応した、貯留手段に貯留された燃料の化学的な性質の変化に相対的に小さく影響されるので、車両の温度の変化が相対的に大きい場合や、外界環境の温度の変化が相対的に大きい場合、燃料が供給された否かを高精度に判定する観点において好ましい。
【００４７】
或いは、図３の表に示されるように、燃料タンクの蓋が開閉された場合、言い換えると、燃料タンクの蓋の開閉が有る場合、燃料の供給が行われたと判定してよい。特に、蓋の開閉によって貯留手段の内部の圧力が変化する。従って、蓋の開閉に対応したセタン価の検出を行うことで、貯留手段の内部において気体状態にある燃料のセタン価に対する影響を定量的又は定性的に把握することができるので好ましい。他方、燃料タンクの蓋が開閉されない場合、言い換えると、燃料タンクの蓋の開閉が無い場合、燃料の供給が行われたと判定しなくてよい。
【００４８】
或いは、図３の表に示されるように、例えば車両が走行している状態において、燃料タンクに貯留された燃料の温度の低下量が、所定閾値より大きい場合（又は所定閾値と等しい場合）、燃料の供給が行われたと判定してよい。ここに、本実施形態に係る、燃料の温度の低下量に対応される所定閾値とは、実際に貯留された燃料の温度における、燃料の供給が行われた状態と等価とみなしうる所望の温度の低下量を意味する。この所定閾値は、理論的、実験的、経験的、又はシミュレーション等によって、実際に貯留された燃料の温度における、所望となる温度の低下量に一義的に等価になるように、個別具体的に規定されてよい。
【００４９】
一般的に、車両に貯留されている燃料は、内燃機関の排気管などから受熱されるため、車両に貯留されている燃料の温度は、外界から供給される燃料の温度と比較して相対的に高くなっている。従って、外界から供給される、相対的に温度の低い燃料が、貯留手段に供給されると、貯留された燃料の温度は低下するので、その燃料の温度の低下量の度合いに基づいて、燃料が供給された否かを高精度に判定することが可能である。
【００５０】
言い換えると、貯留された燃料の温度の低下量が、所定閾値より大きい場合、相対的に温度の低い外部から供給された燃料に起因して、燃料の貯留量は十分に増加していると判定できるので、燃料の供給が行われたと判定することが可能である。他方、燃料タンクに貯留された燃料の温度の低下量が、所定閾値より小さい場合、燃料の温度の低下は、例えば外界環境に起因すると判定して、燃料の供給が行われたと判定しなくてよい。
【００５１】
或いは、図３の表に示されるように、車両の電気系が起動された場合、言い換えると、例えばイグニションスイッチ等の車両の電気系を起動する起動スイッチが、オンされた場合、燃料の供給が行われたと判定してよい。何故ならば、車両を運転するドライバーの人的特性として、燃料を供給する際には、車両の電気系を停止する可能性が顕著に高いので、車両の電気系の起動が検知された場合、燃料タンクに燃料が供給された可能性が顕著に高いと判定できるからである。
【００５２】
或いは、図３の表に示されるように、車両が停止している停止時間が、所定閾値より大きい場合（又は所定閾値と等しい場合）、燃料の供給が行われたと判定してよい。ここに、本実施形態に係る、車両が停止している停止時間に対応される所定閾値とは、車両を運転するドライバーの人的特性である、車両の停止時間と燃料の供給を行う事実の発生率との相関関係に基づいて一義的に規定可能な車両の停止時間を意味する。この所定閾値は、理論的、実験的、経験的、又はシミュレーション等の各種の手法を用いて、車両を運転するドライバーの人的特性である、車両の停止時間と燃料の供給を行う事実の発生率との相関関係によって一義的に規定されるように、個別具体的に規定されてよい。このように、車両を運転するドライバーの人的特性として、燃料を供給する際には、車両を停止する可能性が顕著に高いので、検知された車両の停止時間が所定閾値より大きい場合、燃料タンクに燃料が供給された可能性が顕著に高いと判定できる。特に、ドライバーが燃料を供給する際に、車両の電気系を停止しないというドライバーの人的特性に対応することができるので、ドライバーの多種多様な人的特性に適切に対応できる観点において好ましい。
【００５３】
再び、図２に戻り、ステップＳ１０１の判定の結果、燃料の供給が行なわれないと判定される場合（ステップＳ１０１：Ｎｏ）、フラグ変数Ｆに「ＯＦＦ」が入力される（ステップＳ１０３）。
【００５４】
続いて、ＥＣＵ２０の制御下で、セタン価を検出するための時間間隔、所謂、検出インターバルが、所定値に設定される（ステップＳ１０４）。具体的には、図４に示されるセタン価検出の実行頻度と、セタン価を検出する時間間隔との相関関係に基づいて、この所定値を規定してよい。より具体的には、セタン価を検出する時間間隔である所定値を小さくすることで、セタン価検出の実行頻度を多くすることが可能である。他方、セタン価を検出する時間間隔である所定値を大きくすることで、セタン価検出の実行頻度を少なくすることが可能である。
【００５５】
次に、ＥＣＵ２０の制御下で、フラグ変数Ｆが「Ｏｎ」であるか否かが判定される（ステップＳ１０５）。ここで、フラグ変数Ｆが「Ｏｎ」であると判定される場合（ステップＳ１０５：Ｙｅｓ）、ＥＣＵ２０の制御下で、セタン価の検出を許可する条件が成立したか否かが判定される（ステップＳ１０６）。ここに、本実施形態に係るセタン価の検出を許可する条件とは、車両の速度や加速度や気筒内の圧力や空燃比や温度等の車両の運転状態を示す各種のパラメータが所定範囲にあるという運転状態の条件でよい。ここに、本実施形態に係る「運転状態」とは、内燃機関の駆動状態や走行状態を包括する概念である。この運転状態の具体例としては、例えば内燃機関の回転数、内燃機関の温度（例えばエンジン水温）、気筒内の圧力（過給圧）、燃料の温度、燃料を噴射する際の噴射圧力、空燃比（や酸素の量）、及び、等を挙げることができる。特に、気筒内の圧力や、内燃機関の温度や、空燃比（や酸素の量）は、燃料の着火時期に与える影響が大きいので運転状態に含めることが好ましい。
【００５６】
ステップＳ１０６の判定の結果、セタン価の検出を許可する条件が成立したと判定される場合（ステップＳ１０６：Ｙｅｓ）、続いて、ＥＣＵ２０の制御下で、インジェクタ３０によって、セタン価の推定用の燃料が噴射される（ステップＳ１０７）。
【００５７】
次に、ＥＣＵ２０の制御下で、圧力センサー４０によって、燃料の着火時期が実際に測定され、この測定値が変数ＩＧＴに代入される（ステップＳ１０８）。
【００５８】
次に、ＥＣＵ２０の制御下で、セタン価は、セタン価と着火時期との相関関係を規定するマップｍａｐ＿ａ（ＩＧＴ）に基づいて、一義的に推定され、真のセタン価として検出される（ステップＳ１０９）。具体的には、図５に示されるように、測定された着火時期がＴＤＣ（Top Dead Center）のタイミングから遠ざかる側、即ち、遅れ側に推移した場合、セタン価の値が相対的に小さいと推定可能である。他方、測定された着火時期がＴＤＣのタイミングに近い側、即ち、進み側に推移した場合、セタン価の値が相対的に大きいと推定可能である。
【００５９】
次に、ＥＣＵ２０の制御下で、フラグ変数Ｆに「ＯＦＦ」が入力される（ステップＳ１１０）。続いて、ＥＣＵ２０の制御下で、セタン価を検出するための時間間隔、所謂、検出インターバルが、例えば上述した所定値に設定される（ステップＳ１１１）。
【００６０】
他方、上述したステップＳ１０５の判定の結果、フラグ変数Ｆが「Ｏｎ」でないと判定される場合（ステップＳ１０５：Ｎｏ）、ＥＣＵ２０の制御下で、セタン価を検出するための時間間隔だけ時間が経過したか否かが判定される（ステップＳ１１２）。ここで、セタン価を検出するための時間間隔だけ時間が経過したと判定される場合（ステップＳ１１２：Ｙｅｓ）、上述したように、ＥＣＵ２０の制御下で、セタン価の検出を許可する条件が成立したか否かが判定される（ステップＳ１０６）。
【００６１】
他方、ステップＳ１１２の判定の結果、セタン価を検出するための時間間隔だけ時間が経過したと判定されない場合（ステップＳ１１２：Ｎｏ）、ＥＣＵ２０の制御下で、通常の燃料の噴射制御が行われる（ステップＳ１１３）。
【００６２】
上述したように、燃料が供給される供給度合いが相対的に高いことが判定され、燃料のセタン価が変化したことが推測され、セタン価を高精度に検出する必要性の度合いが相対的に高いレベルの場合、セタン価の検出処理の開始時期又は終了時期を変化させて、セタン価の検出処理の実行頻度を相対的に多頻度にさせてよい。他方、燃料が供給される供給度合いが相対的に低いことが判定され、燃料のセタン価は変化しないことが推測され、セタン価を高精度に検出する必要性の度合いが相対的に低いレベルの場合、或いは、セタン価の検出自体の必要性の度合いが相対的に低いレベルの場合、セタン価の検出処理の開始時期又は終了時期を変化させて、セタン価の検出処理の実行頻度を相対的に少頻度にさせてよい。
【００６３】
この結果、内燃機関の出力に直接的に寄与しないセタン価の検出専用の燃料を必要以上に無駄に噴射することを効果的且つ効率的に抑制し、内燃機関の燃費を効果的に向上させることが可能である。加えて、セタン価の検出専用の燃料を必要以上に無駄に噴射することを効果的且つ効率的に抑制することで、内燃機関で発生するトルクや回転数の出力状態を安定化させ、ドライバビリティを効果的に向上させることが可能である。更に、加えて、セタン価の検出専用の燃料を必要以上に無駄に噴射することを効果的且つ効率的に抑制することで、内燃機関の排気エミッションの悪化、即ち、有害ガスの排気を効果的に抑制することが可能である。
【００６４】
以上の結果、燃料の供給度合いに基づいて、セタン価の検出処理の実行頻度が変化されることで、例えば、燃料の噴射量の精度、空燃比の検出精度或いは燃料消費量等に影響される内燃機関の動力性能、経済性能、車両のドライバビリティ及び環境性能等を含む車両の実践的且つ総合的な性能を適切に安定化させることができる。
【００６５】
（４）他の実施形態  
次に、他の実施形態に係る、セタン価の検出頻度の制御処理について説明する。尚、他の実施形態に係る構成要素において、上述した実施形態と概ね同一の構成要素については、同一の符号番号を付しそれらの説明については、適宜省略する。
【００６６】
（４−１）燃料のセタン価の推定処理  
先ず、図６を参照して、他の本実施形態に係る、セタン価の検出頻度の制御処理について説明する。ここに、図６は、他の実施形態に係る、セタン価の検出頻度の制御処理の流れを示したフローチャートである。尚、このセタン価の検出頻度の制御処理は、ＥＣＵ２０によって、例えば、数十ミリ秒、又は数ミリ秒等の所定の周期で繰り返し実行される。尚、他の実施形態に係る推定処理において、上述した実施形態と概ね同一の動作や処理については、同一の符号番号を付しそれらの説明については、適宜省略する。
【００６７】
図６に示されるように、上述したステップＳ１０６からＳ１０８を経て、ＥＣＵ２０の制御下で、セタン価は、セタン価と着火時期との相関関係を規定するマップｍａｐ＿ａ（ＩＧＴ）に基づいて、一義的に推定され、真のセタン価として検出される（ステップＳ１０９）。
【００６８】
次に、ＥＣＵ２０の制御下で、今回、検出されたセタン価の値が、例えばメモリ等の記憶手段に記憶される（ステップＳ２０１）。
【００６９】
次に、ＥＣＵ２０の制御下で、時間軸上、新しく今回、記憶されたセタン価の値ＣＮｋ＋１と、時間軸上、過去に記憶されたセタン価の値ＣＮｋとの差が所定閾値より大きいか否かが判定される（ステップＳ２０２）。ここに、他の実施形態に係る、セタン価の値ＣＮｋ＋１とセタン価の値ＣＮｋとにおける所定閾値とは、時間経過に伴うセタン価の変化量とセタン価の検出を実行すべき実行頻度との相関関係に基づいて一義的に規定可能な第１セタン価と第２セタン価との差を意味する。この所定閾値は、理論的、実験的、経験的、又はシミュレーション等の各種の手法を用いて、時間経過に伴うセタン価の変化量とセタン価の検出を実行すべき実行頻度との相関関係によって一義的に規定されるように、個別具体的に規定されてよい。
【００７０】
上述したステップＳ２０２の判定の結果、時間軸上、新しく今回、記憶されたセタン価の値ＣＮｋ＋１と、時間軸上、過去に記憶されたセタン価の値ＣＮｋとの差が所定閾値より大きい場合（又は所定閾値と等しい場合）（ステップＳ２０２：Ｙｅｓ）、ＥＣＵ２０の制御下で、セタン価を検出するための時間間隔、所謂、検出インターバルが、相対的に小さい第１所定値に設定される（ステップＳ２０３）。具体的には、上述した図４に示されるセタン価検出の実行頻度と、セタン価を検出する時間間隔との相関関係に基づいて、この第１所定値を規定してよい。より具体的には、セタン価を検出する時間間隔が相対的に小さい第１所定値によって、セタン価検出の実行頻度を多くすることが可能である。他方、後述される、セタン価を検出する時間間隔が相対的に大きい第２所定値によって、セタン価検出の実行頻度を少なくすることが可能である。
【００７１】
他方、上述したステップＳ２０２の判定の結果、時間軸上、新しく今回、記憶されたセタン価の値ＣＮｋ＋１と、時間軸上、過去に記憶されたセタン価の値ＣＮｋとの差が所定閾値より大きくない場合（ステップＳ２０２：Ｎｏ）、ＥＣＵ２０の制御下で、セタン価を検出するための時間間隔、所謂、検出インターバルが、相対的に大きい第２所定値に設定される（ステップＳ２０４）。
【００７２】
このように、現在、検出された第１セタン価と、時間軸上の過去に検出された第２セタン価との差が所定閾値より大きい場合、時間経過に伴うセタン価の変化量が大きく、現在、燃料タンクに貯留されている燃料の実際のセタン価（又は真のセタン価）を迅速に検出する必要性が顕著に高いので、セタン価の検出を実行する頻度を相対的に多くし、真のセタン価を迅速に検出する。この結果、燃料のセタン価の変化をより迅速に検知して、例えば空燃比等の運転状態に加えて燃料の着火時期を定量的及び定性的に制御し、燃料の噴射量を的確に制御し、内燃機関が発生するトルクや回転数をより的確且つ迅速に制御することが可能である。
【００７３】
本発明は、上述した実施形態に限られるものではなく、請求の範囲及び明細書全体から読み取れる発明の要旨或いは思想に反しない範囲で適宜変更可能であり、そのような変更を伴うセタン価検出装置もまた本発明の技術的範囲に含まれるものである。
【図面の簡単な説明】
【００７４】
【図１】本実施形態に係る内燃機関の排気浄化装置を搭載した車両の基本構成を図式的に示した模式図である。
【図２】本実施形態に係る、セタン価の検出頻度の制御処理の流れを示したフローチャートである。
【図３】図３は、本実施形態に係る、燃料の供給が有ると推定される場合に対応される各種のパラメータの状態と、燃料の供給が無いと推定される場合に対応される各種のパラメータの状態とを示した表である。
【図４】本実施形態に係る、セタン価の検出の実行頻度と、セタン価を検出する時間間隔（所謂、検出インターバル）との相関関係を示すグラフである。
【図５】本実施形態に係る、セタン価と着火時期との相関関係を示すグラフである。
【図６】他の実施形態に係る、セタン価の検出頻度の制御処理の流れを示したフローチャートである。
【符号の説明】
【００７５】
１    エンジン
２    電子スロットル弁
２ａ  ＡＦＭ（Air Flow Meter）
＃１から＃４  シリンダ
３    吸気通路
４    排気通路
５    吸気濾過用のエアフィルタ
６    ターボ過給機
６ａ  コンプレッサ
６ｂ  タービン
７    吸気量調節用の絞り弁
７ａ  過給圧センサ
８    ＤＰＮＲ触媒
９    排気浄化ユニット
１０  燃料添加弁
１１  ＥＧＲ通路
１２  ＥＧＲ触媒
１３  ＥＧＲクーラ
１４  ＥＧＲ弁
１５  排気絞り弁
１６  マフラー
２０  ＥＣＵ
２１  イグニションスイッチ
３０  インジェクタ
３１  コモンレール
３２  燃料ポンプ
３３  クランク角センサ
３４  燃料タンク
３５  蓋
３６  蓋センサー
３７  燃料タンクのメーター
３８  燃料温度計
４０  圧力センサー
【図１】
2008286094.tif 000003
【図２】
2008286094.tif 000004
【図３】
2008286094.tif 000005
【図４】
2008286094.tif 000006
【図５】
2008286094.tif 000007
【図６】
2008286094.tif 000008